(57)【特許請求の範囲】
【請求項１】
長手方向に延びる先端部及び当該先端部から斜め方向に延びる基端部を有する一対のクリップ片を備え、前記先端部及び前記基端部が互いに対向するように前記一対のクリップ片がそれぞれ配置され、前記基端部の操作によって前記先端部が開閉するクリップ本体と、
前記クリップ本体において互いに対向する前記先端部の面に、前記先端部の長手方向に整列配置される複数の把持部材と、
前記先端部に固定され、前記把持部材を前記先端部の面に対して接離する方向に往復動自在に支持するばね部材とを備えることを特徴とする電線クリップ。
【請求項２】
前記複数の把持部材における前記クリップ片の最先端側に位置する１の把持部材は、１つの部材からなり、
前記１の把持部材から基端側に配置される他の把持部材は、前記クリップ片の幅方向に分割されていることを特徴とする請求項１記載の電線クリップ。
【請求項３】
前記把持部材の表面に凹凸が形成されていることを特徴とする請求項１又は２記載の電線クリップ。
【発明の詳細な説明】
【技術分野】
【０００１】
本発明は、高圧架空電線に高圧引下線を仮止めする場合等に用いられる電線クリップに関する。
【背景技術】
【０００２】
高圧引下線は、分岐コネクタを介して高圧架空電線に接続される。この分岐コネクタの取付、撤去作業においては、作業を容易に行うために、高圧引下線を高圧架空電線に仮止めすることが行われる。従来、このような仮止め作業には、高圧引下線と高圧架空電線とを同時に挟み込む電線クリップが用いられている。
【０００３】
電線クリップとしては、基端部を閉じることによって先端部が開く構造のものが一般的である。そして、間接活線工具に電線クリップの基端部を支持させ、間接活線工具を操作して基端部を閉じ、開いた先端部に電線を挿入しかつ把持させることによって、電線クリップが電線に取付けられる。
【０００４】
従来、この種の技術としては、特許文献１に記載された技術がある。特許文献１には、弾性部材をアーム内側に取付け、アーム間の空間を弾性部材によって密にすることによって、細い電線であっても確実に挟持することができるようにした防護用シートの取付クリップについて開示されている。
【先行技術文献】
【特許文献】
【０００５】
【特許文献１】特開２０１０−１７６８７８号公報
【発明の概要】
【発明が解決しようとする課題】
【０００６】
ところで、間接活線作業によって、例えば、電線クリップを電線に対して上方から斜めに取付けた場合、電線クリップが基端部の自重によって先端部を中心に回転移動することより、電線クリップの基端部の位置がずれてしまうことがある。この場合、基端部の位置がずれてしまった電線クリップを間接活線作業によって外すために、作業員は作業位置を変更する必要が生じる場合がある。
【０００７】
また、特許文献１のクリップにおいては、弾性部材がポリウレタンクッションのような低反発で復元力が低いによって構成されている。このため、特許文献１のクリップを用いた場合には、電線を把持している状態が長時間継続すると、電線の周囲のポリウレタンクッションが変形するおそれがある。このため、電線を確実に把持できなくなるおそれがある。
【０００８】
本発明は、このような問題点を解決し、電線をより確実に挟むことが可能な電線クリップを提供することを目的とする。
【課題を解決するための手段】
【０００９】
本発明は、上記目的を達成するため、次に記載する構成を備えている。
【００１０】
（１）  長手方向に延びる先端部及び当該先端部から斜め方向に延びる基端部を有する一対のクリップ片を備え、前記先端部及び前記基端部が互いに対向するように前記一対のクリップ片がそれぞれ配置され、前記基端部の操作によって前記先端部が開閉するクリップ本体と、前記クリップ本体において互いに対向する前記先端部の面に、前記先端部の長手方向に整列配置される複数の把持部材と、前記先端部に固定され、前記把持部材を前記先端部の面に対して接離する方向に往復動自在に支持するばね部材とを備えることを特徴とする電線クリップ。
【００１１】
（１）によれば、電線クリップが電線を挟んだときに、電線に対して把持部材を介してばね部材による押圧力が作用するため、電線を把持する力が強くなり、電線を確実に把持することが可能になる。また、把持部材はクリップ片の長手方向に複数されており、電線クリップが電線を挟んだときに、電線を挟む把持部材は先端側の設置面に接近する方向に移動して沈んでいるが、電線を挟んでいない他の把持部材は先端側の設置面から離間する方向に移動して浮いた状態にある。このため、電線に対してクリップ本体が移動しようとした場合、他の把持部材によってクリップ本体の移動が規制される。これにより、電線を挟んだ状態においてずれにくい電線クリップを提供することが可能になる。
【００１２】
（２）  （１）において、前記複数の把持部材における前記クリップ片の最先端側に位置する１の把持部材は、１つの部材からなり、前記１の把持部材から基端側に配置される他の把持部材は、前記クリップ片の幅方向に分割されていることを特徴とする電線クリップ。
【００１３】
（２）によれば、クリップ片の最先端の把持部材以外の把持部材が幅方向に分割されているため、例えば、電線に斜めに挟んだ場合に、分割された一方の把持部材は沈んでいるが他方の把持部材は位置変化しない箇所が存在するようになる。このため、電線に対してクリップ本体が移動しようとした場合、位置変化しない他方の把持部材に電線が当接するようになり、電線に挟んだ状態でずれにくい電線クリップを提供することが可能になる。また、クリップ片の最先端の把持部材は分割されていないので、クリップ本体の最先端部分が把持部材によって塞がれるため、電線がクリップ本体の最先端部分から抜けにくくなる。更に、例えば、一対のクリップ片において把持部材が配置される先端側の領域における基端部側付近で電線を挟んだ場合であっても、クリップ片の最先端の把持部材がばね部材の付勢によって突出するため、電線クリップ１の先端が把持部材によって塞がった状態で維持され、挟んだ電線が電線クリップ１の先端から抜けにくくなる。
【００１４】
（３）  （１）、（２）において、前記把持部材の表面に凹凸が形成されていることを特徴とする電線クリップ。
【００１５】
（３）によれば、電線に電線クリップを取付けた際の、把持部材の表面と電線との摩擦力が高くなるため、電線を確実に把持することが可能になる。
【発明の効果】
【００１６】
本発明によれば、電線を確実に把持することが可能になり、しかも電線を挟んだ状態においてずれにくい電線クリップを提供することが可能になる。
【図面の簡単な説明】
【００１７】
【図１】本発明の一実施形態における電線クリップ１の外観を示す斜視図である。
【図２】クリップ片１２の構成及び把持部材１４の配置を示す平面図である。
【図３】通常状態の電線クリップ１の側面図である。
【図４】基端部１２ｂ、１２ｂを閉じた場合の電線クリップ１の側面図である。
【図５】電線クリップ１の取付操作を示す説明図である。
【図６】電線クリップ１の取付操作を示す説明図である。
【図７】電線クリップ１を電線に取付けた状態におけるクリップ片１２上の電線の位置を示す説明図である。
【図８】図７の電線クリップ１を幅方向視した図である。
【発明を実施するための形態】
【００１８】
以下、本発明の実施形態について、図面を参照しながら詳細に説明する。
図１は、本発明の一実施形態における電線クリップ１の外観を示す斜視図である。電線クリップ１は、クリップ本体１０と、把持部材１４と、ばね部材に相当するコイルばね１６とを備えている。
【００１９】
クリップ本体１０は、一対のクリップ片１２、１２と、連結部材１８と、シャフト２０と、トーションバネ２２（図２参照）とを備えている。
【００２０】
クリップ片１２は、長手方向に延びる先端部１２ａと、先端部１２ａから斜め方向に延びる基端部１２ｂとを備えている。一対のクリップ片１２、１２は、先端部１２ａ及び基端部１２ｂが互いに対向するように配置されており、一対のクリップ片１２、１２の先端部１２ａにおける基端部１２ｂ側の端部がシャフト２０によって連結されている。このため、一対のクリップ片１２、１２はそれぞれシャフト２０を軸として回動自在であり、互いに対向する一対の基端部１２ｂ、１２ｂを閉じるように操作することによって互いに対向する一対の先端部１２ａ、１２ａが離間する。逆に、互いに対向する一対の基端部１２ｂ、１２ｂを開くように操作することによって互いに対向する一対の先端部１２ａ、１２ａが閉じられる。なお、以下の説明の便宜上、図１に示すクリップ片１２において、長手方向（図１のＸ方向）に対して垂直でかつ一対のクリップ片１２、１２の先端部１２ａ、１２ａが対向する方向を接離方向（図１のＹ方向）と称する。また、図１に示すクリップ片１２において、長手方向及び接離方向に対して垂直な方向を幅方向（図１のＺ方向）と称することにする。
【００２１】
連結部材１８は、クリップ片１２の先端部１２ａにおける基端部１２ｂ側の端部の周囲に配置されるゴム製の筒状部材である。この連結部材１８によって、シャフト２０がクリップ片１２、１２から抜け落ちることが防止される。
【００２２】
先端部１２ａにおける一対のクリップ片１２、１２がそれぞれ対向する面（以下、この面を対向面と称する）には、切欠部３０が形成されている。この切欠部３０は、先端部１２ａの先端から基端部１２ｂ側に向かって形成されている。
【００２３】
また、図１において、把持部材１４は、直方体型の部材であり、一対のクリップ片１２、１２において互いに対向している、切欠部３０が形成されている先端部１２ａの面上に複数配置されている。このため、把持部材１４は、一対のクリップ片１２、１２において互いに対向するようになる。また、一対のクリップ片１２、１２において互いに対向する把持部材１４の表面には凹凸が形成されている。本実施形態においては、凹凸として長手方向に延びる複数の溝１４ｃが形成されている。複数の溝１４ｃは、長手方向から視認した場合に鋸歯形状である。
【００２４】
コイルばね１６は、把持部材１４と先端部１２ａの対向面上との間に介在し、先端部１２ａの対向面に固定され、把持部材１４を接離方向に往復動自在に支持する。ここで、コイルばね１６は、通常状態においては、把持部材１４の一部が、切欠部３０が形成されていない先端部１２ａの面から突出するように設定されており、把持部材１４を先端部１２ａの対向面側に押し込むことにより、把持部材１４は切欠部３０の領域に位置付けられる。
【００２５】
図２は、クリップ片１２の構成及び把持部材１４の配置を示す平面図である。クリップ片１２は、軸受部１２ｃを更に備えており、軸受部１２ｃは、クリップ片１２の先端部１２ａにおける基端部１２ｂ側の端部に形成されている。
【００２６】
軸受部１２ｃは、先端部１２ａの対向面における幅方向の両端部から立設する一対の板状部材からなり、この一対の板状部材は、長手方向に対して垂直方向の両端部に形成され、板面同士が互いに対面している。この一対の板状部材の板面に、シャフト２０を挿入するための貫通孔（図示せず）が形成されている。
【００２７】
そして、軸受部１２ｃの貫通孔が一致するように、一対のクリップ片１２、１２の軸受部１２ｃ同士が重ね合わされ、更に、軸受部１２ｃ、１２ｃの間にトーションバネ２２が配置された後、円柱状のシャフト２０が軸受部１２ｃの貫通孔に挿入される。このとき、トーションバネ２２のコイル部分がシャフト２０に遊嵌するとともに、トーションバネ２２の両端部が、基端部１２ｂの内側の面に当接する。更に、シャフト２０の両端部が連結部材１８によって覆われる。
【００２８】
このように、クリップ本体１０の一対のクリップ片１２、１２は、シャフト２０によって回動可能に連結されている。通常状態において、クリップ本体１０は、トーションバネ２２からの開く方向の付勢により、基端部１２ｂ、１２ｂが広げられた状態で維持されるため、先端部１２ａ、１２ａは閉じている。このため、電線クリップ１は、通常状態において、互いに対向する把持部材１４同士が当接する。
【００２９】
次に、把持部材１４の構成について説明する。
【００３０】
把持部材１４としては、１の把持部材に相当する把持部材１４ａと、他の把持部材に相当する把持部材１４ｂとの２種類がある。把持部材１４ａは、切欠部３０よりも若干小さい仮想直方体を、長手方向に４等分してなる形状であり、把持部材１４ｂは、４等分した仮想直方体を更に幅方向に２等分してなる形状である。
【００３１】
そして、図２に示すように、把持部材１４ａは、先端部１２ａの最先端側に配置される。この時、把持部材１４ａの長辺が幅方向に平行になるように配置される。把持部材１４ｂは、先端部１２ａにおける把持部材１４ａから基端部１２ｂ側に２つずつ幅方向に並べながら長手方向に配置される。本実施形態によれば、６つの把持部材１４ｂが先端部１２ａに配置される。
【００３２】
コイルばね１６（図１参照）は、１つの把持部材１４ａ及び６つの把持部材１４ｂにそれぞれ対応させて先端部１２ａに設置されている。
【００３３】
次に、電線クリップ１の動作について、図３、図４を参照しながら説明する。
図３は、通常状態の電線クリップ１の側面図、図４は、基端部１２ｂ、１２ｂを閉じた場合の電線クリップ１の側面図である。
【００３４】
通常状態の電線クリップ１は、図３に示すように、基端部１２ｂ、１２ｂが開き、先端部１２ａ、１２ａが閉じた状態となる。この時、互いに対向する把持部材１４ａ及び把持部材１４ｂが当接しており、コイルばね１６は縮んだ状態で維持される。このため、互いに対向する把持部材１４ａの対及び把持部材１４ｂの対は、トーションバネ２２（図２参照）及びコイルばね１６の付勢によって互いに押しあっている状態となる。
【００３５】
図３に示す通常状態の電線クリップ１の基端部１２ｂ、１２ｂが閉じられると、図４に示すように、先端部１２ａ、１２ａが開かれる。更に、把持部材１４ａ及び把持部材１４ｂは、コイルばね１６が延びることによって、通常状態における把持部材１４ａ及び把持部材１４ｂの位置よりも突出した状態となる。
【００３６】
次に、図５、図６を参照しながら本実施形態の電線クリップ１の取付操作について説明する。
【００３７】
まず、作業員は、図５に示すように、活線工具５０を操作して、電線クリップ１の基端部１２ｂ、１２ｂを、活線工具５０の掴み部５０ａで把持させ、更に、図６に示すように、活線工具５０によって基端部１２ｂ、１２ｂを挟み付けて当接させることにより、先端部１２ａ、１２ａが開く。そして、作業員が、活線工具５０を操作して先端部１２ａ、１２ａの間に電線を挿入し、互いに対向する把持部材１４ｂ、１４ｂの間に位置付けた後に、電線クリップ１の基端部１２ｂ、１２ｂを開くことにより、把持部材１４ｂ、１４ｂの間に電線を把持させる。
【００３８】
そして、作業員が、活線工具５０を電線クリップ１から取外すことによって、電線クリップ１の取付が完了する。
【００３９】
図７は、電線クリップ１を電線に取付けた状態におけるクリップ片１２上の電線の位置を示す説明図、図８は、図７の電線クリップ１を幅方向視した図である。
【００４０】
例えば、電線クリップ１が電線１００に対して斜めに取付けられた場合には、電線１００が３組以上の把持部材１４ｂの対によって把持される場合がある。具体的には、先端部１２ａに対して、図７に示すように電線が配置された場合には、図７に示す、把持部材１４ｂ（１）、１４ｂ（２）、１４ｂ（５）、１４ｂ（６）の対によって電線１００が把持される。この時、把持部材１４ａ、把持部材１４ｂ（３）、１４ｂ（４）の対が当接する。更に、把持部材１４ｂ（１）、１４ｂ（２）、１４ｂ（５）、１４ｂ（６）は先端部１２ａの対向面側に押し込まれ、通常状態よりも対向面側に沈んだ状態となる。このため、コイルばね１６が縮むことによって、電線１００は、コイルばね１６によって付勢された状態で、把持部材１４ｂ（１）、１４ｂ（２）、１４ｂ（５）、１４ｂ（６）の対によって挟持される。
【００４１】
更に、図８に示すように、電線１００に電線クリップ１が取付けられた状態においては一対のクリップ片１２、１２の最先端部に位置している把持部材１４ａ、１４ａが互いに当接している。すなわち、先端部１２ａ、１２ａの最先端部分が把持部材１４ａ、１４ａによって塞がれる。このため、電線１００に電線クリップ１が取付けられた状態において、電線クリップ１の基端部１２ｂが下方に移動することによって電線クリップ１が回動しても、電線１００が電線クリップ１の最先端部分を通って抜け落ちることが防止される。
【００４２】
また、図７に示すように、電線クリップ１が電線１００に対して斜めに取付けられた場合、把持部材１４ａ以外に互いに当接している把持部材１４ｂの対が存在する。図７に示す例においては、把持部材１４ｂ（３）及び把持部材１４ｂ（４）の対が互いに当接する。このため、電線クリップ１が回動しても、電線１００が互いに当接している把持部材１４ｂ（３）、１４ｂ（４）に当接するようになり、電線クリップ１が電線１００に対して斜めに取付けられた状態が維持される。
【００４３】
以上、説明したように構成された本実施形態によれば、電線クリップ１が電線を挟んだときに、電線に対して把持部材１４を介してトーションバネ２２による付勢力とともにコイルばね１６による付勢力が作用するため、電線を把持する力が強くなり、電線を確実に把持することが可能になる。また、把持部材１４はクリップ片１２の先端部１２ａの長手方向に複数されており、電線を挟んだときに電線を挟む把持部材１４は、コイルばね１６の対向面側に接近して、沈んだ状態にあるが、それ以外の把持部材１４は位置変化していない。このため、電線に対してクリップ本体１０が移動しようとした場合、位置変化していない把持部材に当接してクリップ本体の移動が規制される。これにより、電線を挟んだ状態においてずれにくい電線クリップ１を提供することが可能になる。
【００４４】
また本実施形態によれば、クリップ片の最先端の把持部材１４（１４ａ）以外の把持部材１４が幅方向に分割されているため、例えば、電線に斜めに挟んだ場合に、分割された一方の把持部材１４（１４ｂ）は沈んでいるが他方の把持部材１４（１４ｂ）は位置変化していない箇所が存在する。このため、電線に斜めに挟んだとしても電線に挟んだ状態を維持することが可能になり、ずれにくい電線クリップを提供することが可能になる。
【００４５】
また、クリップ片の最先端の把持部材１４ａは分割されていないので、電線クリップ１の先端が把持部材１４ａによって塞がった状態となり、電線が電源クリップ１の先端から抜けにくくなる。更に、例えば、クリップ本体１０の先端部における基端側付近で電線を挟んだ場合であっても、クリップ片１２の最先端の把持部材１４がコイルばね１６の付勢によって突出するため、電線クリップ１の先端が把持部材１４ａによって塞がった状態で維持されるため、挟んだ電線が電線クリップ１の先端から抜けにくくなる。
【００４６】
また本実施形態によれば、把持部材１４の表面に凹凸が形成されているため、電線に電線クリップ１を取付けた際の、把持部材１４の表面と電線との摩擦力が高くなる。このため、電線を確実に把持することが可能になる。
【符号の説明】
【００４７】
１  電線クリップ
１０  クリップ本体
１２  クリップ片
１２ａ  先端部
１２ｂ  基端部
１２ｃ  軸受部
１４  把持部材
１４ａ  把持部材
１４ｂ  把持部材
１４ｃ  溝
１６  コイルばね
１８  連結部材
２０  シャフト
２２  トーションバネ
３０  切欠部
５０  活線工具
５０ａ  掴み部
１００  電線
【要約】
【課題】電線を確実に把持することが可能になり、しかも電線を挟んだ状態においてずれにくい電線クリップを提供する。
【解決手段】電線クリップ１は、長手方向に延びる先端部１２ａ及び当該先端部１２ａから斜め方向に延びる基端部１２ｂを有する一対のクリップ片１２、１２を備え、先端部１２ａ及び基端部１２ｂが互いに対向するように一対のクリップ片１２、１２がそれぞれ配置され、基端部１２ｂ、１２ｂの操作によって先端部１２ａ、１２ａが開閉するクリップ本体１０と、クリップ本体１０において互いに対向する先端部１２ａ、１２ａの面に、先端部１２ａの長手方向に分割してそれぞれ整列配置される複数の把持部材１４と、先端部１２ａ、１２ａに固定され、把持部材１４を先端部１２ａの面に対して接離する方向に往復動自在に支持するコイルばね１６とを備える。
【選択図】図１【図１】
0005475097.tif 000002
【図２】
0005475097.tif 000003
【図３】
0005475097.tif 000004
【図４】
0005475097.tif 000005
【図５】
0005475097.tif 000006
【図６】
0005475097.tif 000007
【図７】
0005475097.tif 000008
【図８】
0005475097.tif 000009